(57)【要約】【課題】この発明は、手術等を行うことなく、顔面の側面や首、手首等の所定の場所にテープを目立たなく貼ることにより、顔や首、掌等の皺やたるみを伸ばすことを目的とする。【解決手段】この発明の整形用ストレッチ・テープは、巾及び長さが１５〜５０ｍｍの大きさで銀杏葉型の形状をし、該銀杏葉型の茎方向を中心にした広がり角度が３０〜１５０度である。さらに、上記テープは、顔の側面の耳付近に中心方向を向けて顔面の皮膚を引っ張るように貼られて顔面のたるみを取り、その顔面方向への広がり角度が前記３０〜１５０度である。あるいは、耳や首の下方に首の皮膚を引っ張るように貼られ首の皺を伸ばし、手首の上方に掌の皮膚を引っ張るように貼られ掌の皺を伸ばす。【選択図】        図１
2004254788.tif 000002
【特許請求の範囲】
【請求項１】
巾及び長さが１５〜５０ｍｍの大きさで銀杏葉型の形状をし、該銀杏葉型の茎方向を中心にした広がり角度が３０〜１５０度であることを特徴とする整形用ストレッチ・テープ。
【請求項２】
顔の側面の耳付近に前記中心方向を向けて顔面の皮膚を引っ張るように貼られて顔面のたるみを取り、その顔面方向への広がり角度が前記３０〜１５０度であることを特徴とする前記請求項１記載の整形用ストレッチ・テープ。
【請求項３】
耳の下方に前記広がり方向を前方斜め下方に向けて首の皮膚を引っ張るように貼られ、首の皺を伸ばすことを特徴とする前記請求項１記載の整形用ストレッチ・テープ。
【請求項４】
首の下方に前記広がり方向を上方に向けて首の皮膚を引っ張るように貼られ、首の皺を伸ばすことを特徴とする前記請求項１記載の整形用ストレッチ・テープ。
【請求項５】
手首の上方に前記広がり方向を手先に向けて掌の皮膚を引っ張るように貼られ、掌の皺を伸ばすことを特徴とする前記請求項１記載の整形用ストレッチ・テープ。
【発明の詳細な説明】
【０００１】
【発明の属する技術分野】
この発明は、顔面や首、手等の整形を目的に耳付近や首、手首に貼り付けられて皺やたるみを伸ばすために用いられるストレッチ・テープに関する。
【０００２】
【従来の技術】
加齢していくと顔面の肉や皮膚がたるみ下方向に落ちてくる。その結果年老いて見えるので美容整形手術で顔の皮膚や筋肉を引っ張り上げるフェイスリフト手術が若返りの手術として人気がある。
【０００３】
また、皮膚の皺、たるみを伸ばすための粘着テープが特開２００２−４５２３２号公報、実用新案登録第３０９０２０９号公報、特開平１０−２３４４６９号公報等により公知である。しかし、該特開２００２−４５２３２号公報のものは、形状がバンドエイドと同じものであり、貼る場所も首の側方しか記載されていない。実用新案登録第３０９０２０９号公報や特開平１０−２３４４６９号公報のものも顔面に貼るとのみ記載されており、場所が特定されておらず、その形状も特徴がない。
【０００４】
また、特開２００２−２２９０１４号公報には、顔の側面の髪を引っ張るものが、特開平９−１６８４２４号公報、実用新案登録第３０４３５１７号公報等には顔の側面を帯状体で引っ張るものが開示されている。しかし、これらも装着が面倒とか、装着時に器具が煩わしいといった欠点がある。
【０００５】
【特許文献１】
特開２００２−４５２３２号公報
【０００６】
【特許文献２】
実用新案登録第３０９０２０９号公報
【０００７】
【特許文献３】
特開平１０−２３４４６９号公報
【０００８】
【特許文献４】
特開２００２−２２９０１４号公報
【０００９】
【特許文献５】
特開平９−１６８４２４号公報
【００１０】
【特許文献６】
実用新案登録第３０４３５１７号公報
【００１１】
【発明が解決しようとする課題】
この発明は、手術等を行うことなく、顔面の側面や首、手首等の所定の場所にテープを目立たなく貼ることにより、顔や首、掌等の皺やたるみを伸ばすことを目的とする。
【００１２】
【課題を解決するための手段】
この発明の整形用ストレッチ・テープは、巾及び長さが１５〜５０ｍｍの大きさで銀杏葉型の形状をし、該銀杏葉型の茎方向を中心にした広がり角度が３０〜１５０度であることを特徴とする。
【００１３】
さらに、上記テープは、顔の側面の耳付近に前記中心方向を向けて顔面の皮膚を引っ張るように貼られて顔面のたるみを取り、その顔面方向への広がり角度が前記３０〜１５０度であることを特徴とする。
【００１４】
あるいは、耳の下方に前記広がり方向を前方斜め下方に向けて首の皮膚を引っ張るように貼られ、首の皺を伸ばすことを特徴とする。
あるいは、首の下方に前記広がり方向を上方に向けて首の皮膚を引っ張るように貼られ、首の皺を伸ばすことを特徴とする。
【００１５】
あるいはまた、手首の上方に前記広がり方向を手先に向けて掌の皮膚を引っ張るように貼られ、掌の皺を伸ばすことを特徴とする。
【００１６】
【発明の実施の形態】
本発明は前記従来の欠点を無くし、特殊な形状のストレッチテープを使い顔の肉は皮膚を引っ張り上げ、顔や首、掌のたるみを取り、見た目を若々しく見せることができるフェイスリフトテープを開発したものである。該ストレッチテープの素材は半透明もしくは肌色に近い素材でできるだけ目立たない物を使用し、さらに髪の毛などで隠して、使用していることが周りから見えないことが好ましい。
【００１７】
該ストレッチテープの形状は銀杏葉型を基本にした物で、巾１５〜５０ｍｍ、長さ１５〜５０ｍｍ、例えば耳を中心に顔の肉や皮膚が引っ張られるようにテープの中心に指向する角度（３０〜１５０度）を付ける。
【００１８】
以下、この発明の実施例を図面を用いて説明する。
（実施例１）
図１は、この発明のストレッチ・テープ１を顔の側面の耳付近に中心方向を向けて顔面の皮膚を引っ張るように貼った場合の実施例を示す。該テープの形状は、図２に示されるように、巾及び長さが１５〜５０ｍｍの大きさで銀杏葉型の形状をし、該銀杏葉型の茎方向を中心にした広がり角度が３０〜１５０度である。
【００１９】
該形状のストレッチ・テープは、図１示されるように前記銀杏葉型の開いた方向（図２の３）から茎方向（図２の２）に狭まるように引っ張り力が働き、結果として図１の矢印Ａの如く、頬の側面を引き上げるような引っ張り力が働く。
【００２０】
従って、該テープは顔の側面の耳付近に中心方向を向けて顔面の皮膚を引っ張るように貼られて顔面のたるみを取り、小さなテープで効率よく頬を引っ張る効果があり、外出中も目立たないようにすることができる。
（実施例２）
前記銀杏葉型のストレッチ・テープは、図３の５に示すように、耳の下方に前記広がり方向を首の側面で前方の斜め下方に向けて首の皮膚を図のＢ方向に引っ張るように貼られ、首の皺を伸ばす目的で使用することができる。前記と同様、この場合も小さなテープで効率よく首の皮膚を引っ張る効果がある。
（実施例３）
前記銀杏葉型のストレッチ・テープは、図４の１０〜１２に示すように、首の下方に前記広がり方向を上方に向けて首の皮膚を図のＣ方向に引っ張るように貼られ、首の皺を伸ばす目的で使用することができる。前記と同様、この場合も小さなテープで効率よく首の皮膚を引っ張る効果があり、襟内に隠せば外出中も目立たないようにすることができる。
（実施例４）
前記銀杏葉型のストレッチ・テープは、図５の１５に示すように、手首の上方に前記広がり方向を手先に向けて掌の皮膚を図のＤ方向に引っ張るように貼られ、掌の皺を伸ばす目的で使用することができる。前記と同様、この場合も小さなテープで効率よく掌の皮膚を引っ張る効果があり、袖に隠せば外出中も目立たないようにすることができる。
【００２１】
【発明の効果】
この発明は、手術等を行うことなく、顔面の側面や首、手首等の所定の場所にテープを目立たなく貼ることにより、安直に顔や首、掌等の皺やたるみを伸ばすことができる。また、銀杏葉型の形状は、小さなテープで効率よく、顔や首、掌等の皺やたるみを取る効果がある。
【図面の簡単な説明】
【図１】この発明の顔のストレッチ・テープの使用状態を示す図である。
【図２】この発明のストレッチ・テープの種々の形状を示す図である。
【図３】この発明の耳の下での首のストレッチ・テープの使用状態を示す図である。
【図４】この発明の顔の正面での首のストレッチ・テープの使用状態を示す図である。
【図５】この発明の掌のストレッチ・テープの使用状態を示す図である。
【符号の説明】
１      ストレッチ・テープ
２    ストレッチ・テープの茎部分
３    ストレッチ・テープの広がり方向
５        ストレッチ・テープ
１０〜１１  ストレッチ・テープ
１５  ストレッチ・テープ
【図１】
2004254788.tif 000003
【図２】
2004254788.tif 000004
【図３】
2004254788.tif 000005
【図４】
2004254788.tif 000006
【図５】
2004254788.tif 000007